(57)【要約】【課題】  本発明は、圧縮機と連結される吸入配管と吐出配管が機械室の内部で占める空間を最小化しながらその長さを増大化させて圧縮機から発生された振動が吸入配管と吐出配管を通して冷蔵庫本体に伝達されることを最小化し得る振動低減型冷蔵庫を提供することを目的とする。【解決手段】  本発明に係る冷蔵庫においては、食品が貯蔵される冷却室と機械室が備えられる冷蔵庫本体と、前記機械室の内部に配置されて冷媒を圧縮する圧縮機と、該圧縮機に側面に連結されて、前記機械室の内部に前記冷蔵庫本体の幅方向に沿って配置されて、前記機械室の一方の先端部に位置された蒸発器のアウレットパイプと連結される吸入配管と、を包含して構成されることを特徴とする。【選択図】      図１
2005331225.tif 000002
【特許請求の範囲】
【請求項１】
食品が貯蔵される冷却室と機械室が備えられる冷蔵庫本体と、
前記機械室の内部に配置されて冷媒を圧縮する圧縮機と、
該圧縮機に側面に連結されて、前記機械室の内部に前記冷蔵庫本体の幅方向に沿って配置されて、且つ前記機械室の一方の先端部に位置された蒸発器のアウレットパイプと連結される吸入配管と、を包含して構成されることを特徴とする振動低減型冷蔵庫。
【請求項２】
前記機械室の上面には、冷凍サイクル作動中に発生された水が貯蔵されるウォータートレイが装着され、該ウォータートレイは、前記機械室の後壁面と間隔を置いて配置され、且つ前記ウォータートレイの側面と前記機械室の後壁面の間に空間が形成されることを特徴とする請求項１記載の冷蔵庫。
【請求項３】
前記吸入配管は、前記圧縮機の側面に連結される第１配管部と、
該第１配管部と連結されて前記ウォータートレイの側面と機械室の後壁面の間に形成される空間を通過する第２配管部と、
該第２配管部と連結されて前記アウレットパイプと連結される第３配管部と、を包含して構成されることを特徴とする請求項２記載の冷蔵庫。
【請求項４】
前記吸入配管の前記第１配管部は、前記圧縮機の側面に連結されて水平になるように配置される水平部と、
該水平部から上側方向に傾斜角を持つように折曲される傾斜部と、を包含して構成されることを特徴とする請求項３記載の冷蔵庫。
【請求項５】
前記吸入配管の前記第３配管部は、前記第２配管部から下側方向に折曲されてさらに上側方向に折曲されて、前記アウレットパイプと連結されるU字形状に形成されることを特徴とする請求項３記載の冷蔵庫。
【請求項６】
前記圧縮機に側面と凝縮機の内部パイプ間に連結されて、前記圧縮機で圧縮された冷媒が前記凝縮機に吐出される吐出配管を更に包含して構成されることを特徴とする請求項１記載の冷蔵庫。
【請求項７】
前記吐出配管は、前記圧縮機の側面に連結される第１配管部と、
該第１配管部と連結されて前記ウォータートレイの側面と機械室の後壁面の間に形成される空間を通過する第２配管部と、
該第２配管部と連結されて、前記内部パイプと連結される第３配管部と、を包含して構成されることを特徴とする請求項６記載の冷蔵庫。
【請求項８】
前記吐出配管の前記第１配管部は、前記圧縮機の側面に連結されて、水平になるように配置される水平部と、
該水平部から上側方向に傾斜角を持つように折曲される垂直部と、を包含して構成されることを特徴とする請求項７記載の冷蔵庫。
【請求項９】
前記吐出配管の前記第３配管部は、前記第２配管部から下側方向に折曲されて、前記内部パイプと連結されるように上側方向に折曲されてU字形状に形成されることを特徴とする請求項７記載の冷蔵庫。
【請求項１０】
前記機械室の天井面にはウォータートレイが設置され、該ウォータートレイは、前記機械室の天井面と間隔を置いて配置され、前記ウォータートレイの上面と前記機械室の天井面間に空間が形成され、前記機械室と天井面間の空間を前記吸入配管及び吐出配管の少なくとも何れか一つが通過することを特徴とする請求項１記載の冷蔵庫。
【発明の詳細な説明】
【技術分野】
【０００１】
本発明は、振動低減型冷蔵庫に係るもので、詳しくは、圧縮機から発生される振動が配管を通して冷蔵庫本体に伝達されることを低減し得る振動低減型冷蔵庫に関するものである。
【背景技術】
【０００２】
一般に、冷蔵庫は、各種食品が貯蔵される冷却室を有する冷蔵庫本体と、前記冷却室を冷却させる冷凍サイクルと、が備えられる。
【０００３】
現在、冷蔵庫は、化粧品又はワインなどのような物品を保管する化粧品冷蔵庫及びワイン冷蔵庫なども登場され、その適用範囲が順次的に広範になっている。このような多様な種類の冷蔵庫の開発に伴い、冷蔵庫の振動を低減させるための研究及び努力が進行されている。
【０００４】
特に、ワイン冷蔵庫の場合、ワインの取扱及び保管時に温度、陽光、湿度、振動及び水平等に留意しなければならないが、陽光、湿度及び水平は比較的簡単に解決し得るが、適正な温度の維持及び振動の低減が難しいため、これに対する研究が進行されている。
【０００５】
従来の冷蔵庫の機械室を斜視図で図１１に及び正面図で図１２に示したように、各種冷凍食品が貯蔵される冷凍室と冷蔵食品が貯蔵される冷蔵室が備えられる冷蔵庫本体１０２と、該冷蔵庫本体１０２の後方下部に位置されて冷媒を圧縮する圧縮機１０４等の冷凍サイクルを形成する各種部品が設置される機械室１０６と、が備えられていた。
【０００６】
また、前記冷蔵庫本体１０２は、前方に前記冷凍室と冷蔵室を開閉するドア１０８が装着され、下部には、前記冷蔵庫本体１０２の高さを調節し得るように支持するフッド１１０が装着される。
【０００７】
また、前記機械室１０６は、前方に該機械室１０６を開閉するカバー１１２がスクリュー１１４締結され、その内部の一方の側には冷凍サイクルを制御するコントロールボックス１１６が設置されて、その内部の上側には除霜作用等により冷凍サイクルから発生される水が貯蔵されるウォータートレイ１１８が設置され、その下面には、前記ベースプレイト１２０が装着されて該ベースプレイト１２０には圧縮機１０４が装着される。
【０００８】
また、前記圧縮機１０４は、マウンティングブラケット１２２により前記ベースプレイト１２０に装着され、該マウンティングブラケット１２２には、前記圧縮機１０４から発生される振動が冷蔵庫本体１０２に伝達されることを遮断する防振ゴム１２４が設置される。そして、前記圧縮機１０４は、前記冷蔵庫本体１０２の後方に設置された蒸発器(図示されず)と吸入配管１３０に連結されて蒸発器から冷媒が吸入されて、前記冷蔵庫本体１０２の後方に設置された凝縮機(図示されず) と吐出配管１３２に連結されて圧縮された冷媒が凝縮機に吐出される。
【０００９】
また、前記吸入配管１３０と吐出配管１３２は、前記圧縮機１０４から発生された振動が前記各配管１３０、１３２を通して冷蔵庫本体１０２に伝達されることを低減するため、一回ルーフィングされた後、蒸発器と凝縮機に夫々連結される。即ち、吸入配管１３０と吐出配管１３２は夫々輪状に一回旋回した形態を持つ。
【発明の開示】
【発明が解決しようとする課題】
【００１０】
然るに、上記のように構成された従来の冷蔵庫においては、冷却室の容量を可能な限り大きくするために機械室の幅が殆ど圧縮機の大きさに対応されるようにコンパックに形成されて機械室の上側に凝縮水トレイが設置されるため、前記吸入配管と吐出配管の長さを増加させるのに限界があって、該吸入配管と吐出配管の長さを増加させるために一回ルーフィングさせたが、その長さが短いために圧縮機から発生される振動が吸入配管と吐出配管を通して冷蔵庫本体に伝達されて冷蔵庫の内部旋盤の振動を誘発されるという不都合な点があった。
【００１１】
特に、ワイン冷蔵庫のように騷音が重要な因子に作用する場合、冷却室に伝達される振動によりワインの誤熟成が誘発されるという不都合な点があった。
【００１２】
本発明は、上記の問題点に鑑みて成されたもので、圧縮機と連結される吸入配管と吐出配管が機械室の内部で占める空間を最小化しながらその長さを増大化させて圧縮機から発生された振動が吸入配管と吐出配管を通して冷蔵庫本体に伝達されることを最小化し得る振動低減型冷蔵庫を提供することを目的とする。
【課題を解決するための手段】
【００１３】
上記目的を達成するため、本発明に係る振動低減型冷蔵庫においては、食品が貯蔵される冷却室と機械室が備えられる冷蔵庫本体と、前記機械室の内部に配置されて冷媒を圧縮する圧縮機と、該圧縮機の側面に連結されて前記機械室の内部に前記冷蔵庫本体の幅方向に沿って配置されて、且つ前記機械室の一方先端部に位置された蒸発器のアウレットパイプ(outlet  pipe）と連結される吸入配管と、を包含して構成されることを特徴とする。
【００１４】
また、前記機械室の上面には、冷凍サイクル作動中に発生された水が貯蔵されるウォータートレイが装着され、該ウォータートレイは、前記機械室の後壁面と間隔を置いて配置されて、前記ウォータートレイの側面と前記機械室の後壁面の間に空間が形成されることを特徴とする。
【００１５】
また、前記吸入配管は、前記圧縮機の側面に連結される第１配管部と、該第１配管部と連結されて、且つ前記ウォータートレイの側面と機械室の後壁面の間に形成される空間を通過する第２配管部と、該第２配管部と連結されて、前記アウレットパイプと連結される第３配管部と、を包含して構成されることを特徴とする。
【００１６】
また、前記圧縮機に側面と凝縮機の内部パイプ(inter  pipe）間に連結されて、前記圧縮機で圧縮された冷媒が前記凝縮機に吐出される配管を更に包含して構成され、該配管は、前記圧縮機の側面に連結される第１配管部と、該第１配管部と連結されて前記ウォータートレイの側面と機械室の後壁面の間に形成される空間を通過する第２配管部と、該第２配管部と連結されて前記内部パイプと連結される第３配管部と、を包含して構成されることを特徴とする。
【発明の効果】
【００１７】
本発明に係る冷蔵庫においては、圧縮機と蒸発器のアウレットパイプ間に連結される吸入配管と圧縮機と凝縮機のアウレットパイプ間に連結される吐出配管とが、夫々前記ウォータートレイと機械室の後壁面の間に形成される空間を通過して配置されるため、その長さを十分に維持し得ることで、前記圧縮機から発生された振動が前記吸入配管と吐出配管を通過しながら殆ど消滅されて冷蔵庫本体に伝達される振動を最小化し得るという効果がある。
【発明を実施するための最良の形態】
【００１８】
以下、本発明に係る振動低減型冷蔵庫の第１実施形態に対し、図面を用いて説明する。
本発明の第１実施形態に係る冷蔵庫においては、図１及び図２に示したように、冷凍食品が保管される冷凍室と冷蔵食品が保管される冷蔵室が備えられて、下部にフット１２が装着される冷蔵庫本体１０と、該冷蔵庫本体１０の下部に配置されて、冷凍サイクルの各種構成要素が設置される機械室１６と、を包含して構成されている。
【００１９】
また、該機械室１６の内部には、冷凍サイクルを制御するコントロールボックス１８が設置され、その内部の上側には除霜作用等により冷凍サイクルから発生される水を貯蔵するウォータートレイ２０が設置され、その下面にはベースプレイト２２が装着され、該ベースプレイト２２の上面には冷媒を圧縮する圧縮機２４が装着される。そして、前記機械室１６の上面には、前記冷蔵庫本体１０の後方に装着される凝縮機(図示されず) 及び蒸発器(図示されず) と夫々連結される内部パイプ２６とアウレットパイプ２８が夫々露出されるように配置される。
【００２０】
また、前記圧縮機２４は、マウンティングブラケット３０により前記ベースプレイト２２に装着され、前記マウンティングブラケット３０には、前記圧縮機２４から発生される振動が前記冷蔵庫本体１０に伝達されることを遮断する防振ゴム３２が設置される。
【００２１】
そして、前記圧縮機２４は、前記アウレットパイプ２８と吸入配管３６により連結され、前記蒸発器から冷媒が吸入されて、前記内部パイプ２６と吐出配管配管３８により連結されて前記凝縮機に圧縮された冷媒が吐出される。
【００２２】
また、前記ウォータートレイ２０は、図３に示したように、上側の開口された四角形態に形成されて、前記冷蔵庫本体１０の前後方向に配置される幅は前記機械室１６の幅に比べて狭く形成され、前記冷蔵庫本体１０の左右方向に配置される長さは長く形成される。
【００２３】
従って、前記ウォータートレイ２０は、既存のウォータートレイに比べてその長さは長く形成され、幅は狭く形成されて同様な容量を持つ。そして、前記ウォータートレイ２０の下面には、上側方向に盛り上がって突出される凸部４０が形成されて前記圧縮機２４との干渉を防止する。
【００２４】
このように、前記ウォータートレイ２０は幅が狭く形成されるため、該ウォータートレイ２０の側面と前記機械室１６の後壁面間に間隔L１を維持し得るし、該間隔LIにより前記ウォータートレイ２０と機械室との間に空間６４が形成され、該空間６４に前記吸入配管３６と吐出配管３８が通過する。
【００２５】
また、前記吸入配管３６と吐出配管３８は、図１に示したように、前記圧縮機２４の右側面に夫々連結されて、前記ウォータートレイ２０と機械室１６間に形成される空間６４を通過して前記機械室１６の左側に形成されたアウレットパイプ２８及び内部パイプ２６と連結されて前記機械室１６の内部を占める空間を最小化しながらその長さを長く延長することができる。
【００２６】
ここで、前記吸入配管３６は、図４に示したように、前記圧縮機２４に連結される第１配管部３６aと、該第１配管部３６aと連結されて前記ウォータートレイ２０と機械室１６の後壁面の間に形成される空間６４を通過する第２配管部３６bと、該第２配管部３６bと連結されて前記機械室１６の上面に露出されるように配置されるアウレットパイプ２８と連結される第３配管部３６cと、を包含して構成される。
【００２７】
ここで、前記第１配管部３６aは、前記圧縮機２４の側面に連結されて、水平になるように配置される水平部４２と、該水平部４２から上側方向に折曲されると共に、前記機械室１６の後方に向いて傾斜するように形成されて前記第２配管部３６bと連結される傾斜部４４と、を包含して構成される。
【００２８】
そして、前記第３配管部３６cにおいては、前記第２配管部３６bの端部から下側方向に折曲される第１折曲部４６と、該第１折曲部４６から水平方向に折曲される第２折曲部４８と、該第２折曲部４８から上側方向に折曲される第３折曲部５０と、を包含して構成されて全体的にU字形状を成す。
【００２９】
また、前記吐出配管３８においては、図５に示したように、圧縮機２４の側面に連結される第１配管部３８aと、該第１配管部３８aと連結されて前記ウォータートレイ２０と機械室１６の後壁面の間の空間６４を通過する第２配管部３８bと、該第２配管部３８bと連結されて、前記機械室１６の上面に露出されるように配置される内部パイプ２６と連結される第３配管部３８cと、を包含して構成される。
【００３０】
ここで、前記第１配管部３８aにおいては、前記圧縮機２４の側面に連結されて、水平になるように配置される水平部５２と、該水平部５２から上側方向に折曲されて、前記機械室１６の後方に向いて傾斜するように形成されて前記第２配管部３８bと連結される傾斜部５４と、を包含して構成される。
【００３１】
そして、前記第３配管部３８cにおいては、前記第２配管部３８bの端部から下側方向に折曲される第１折曲部５６と、該第１折曲部５６から水平方向に折曲される第２折曲部５８と、該第２折曲部５８から上側方向に折曲されて、前記内部パイプ２６と連結される第３折曲部６０と、を包含して構成されて全体的にU字形状を成す。
【００３２】
このように、前記吸入配管３６と吐出配管３８は、前記ウォータートレイ２０と機械室１６の後壁面の間に形成される空間６４を通過して、前記アウレットパイプ２８と内部パイプ２６と連結される部分がU字形状に形成されて振動を低減し得る充分な長さを持つため、前記圧縮機２４から発生される振動が前記吸入配管３６と吐出配管３８を通過しながら減少又は消滅される。従って、前記冷蔵庫本体１０に伝達される振動を最小化することができる。
【００３３】
また、図６は、本発明の第２実施形態に係る冷蔵庫の機械室を示した断面図で、図７は図６のIX-IX線の断面図である。
【００３４】
第２実施形態に係る冷蔵庫の機械室１６の上面には、除霜作用等により冷凍サイクルから発生される水を貯蔵するウォータートレイ７０が設置され、その下面にはベースプレイト２２が装着されて該ベースプレイト２２の上面には冷媒を圧縮する圧縮機２４が装着される。
【００３５】
そして、該圧縮機２４は、前記アウレットパイプ２８と吸入配管７２により連結されて蒸発器から冷媒が吸入されて、前記内部パイプ２６と吐出配管配管７４により連結されて凝縮機に圧縮された冷媒が吐出される。
【００３６】
また、前記ウォータートレイ７０は、上側の開口された四角ボックス形態で、前記機械室１６の天井面と距離L２だけ間隔を維持して空間７６を形成し、前記機械室１６の天井面にブラケット７８により装着される。前記空間７６に前記吸入配管７２と吐出配管７４が通過する。
【００３７】
そして、前記ウォータートレイ２０の下面には、上側方向に盛り上がって突出される凸部８０が形成されて前記圧縮機２４との干渉を避ける。
【００３８】
また、前記吸入配管７２においては、図８に示したように、前記圧縮機２４の一方側面に連結される第１配管部７２aと、該第１配管部７２aと連結されて、前記ウォータートレイ７０の上面と前記機械室１６の天井面間に形成された空間７６を通過する第２配管部７２bと、該第２配管部７２bから下側方向に折曲されて機械室の後方に傾斜するように形成される第３配管部７２cと、該第３配管部７２cから水平になるように折曲されて前記機械室１６の前後方向に配置される第４配管部７２dと、該第４配管部７２dから上側方向に折曲されて前記アウレットパイプ２８と連結される第５配管部７２eと、を包含して構成されている。
【００３９】
また、前記第１配管部７２aは、前記圧縮機２４の一方側に連結されて水平になるように配置される水平部８２と、該水平部８２から上側方向に折曲されて機械室１６の後方に傾斜するように形成される傾斜部８４と、を包含して構成される。
【００４０】
また、前記吐出配管７４においては、図９及び図１０に示したように、前記圧縮機２４の一方側面に連結される第１配管部７４aと、該第１配管部７４aから折曲されて前記ウォータートレイ７０の上面と機械室１６の天井面間に形成される空間を通過して水平になるように配置される第２配管部７４bと、該第２配管部７４bの両側が夫々下側方向に折曲されて前記ウォータートレイ７０の内部を通過する第３配管部７４cと、該第３配管部からU字形状を成すように折曲されて前記内部パイプ２６と連結される第４配管部７４dと、を包含して構成される。
【００４１】
また、前記第１配管部７４aにおいては、前記圧縮機２４の一方側に連結されて水平になるように配置される水平部８６と、該水平部８６から上側方向に折曲されて機械室１６の後方に傾斜するように形成される傾斜部８８と、を包含して構成される。
【００４２】
ここで、前記第３配管部７４cにおいては、該第３配管部７４cの両側から下側方向に折曲される垂直部達９０と、該各直線部９０間に連結されて、前記ウォータートレイ７０の底面に沿って曲線形態に曲線部９２と、を包含して構成される。
【００４３】
このように構成される第２実施形態に係る吸入配管７２及び吐出配管７４は、前記ウォータートレイ７０の上面と機械室１６の天井面間に形成される空間６４を通過して、前記アウレットパイプ２８と内部パイプ２６と連結される部分がU字状に形成されて振動を低減し得る充分な長さを持つため、前記圧縮機２４から発生される振動が前記吸入配管７２と吐出配管７４を通過しながら減少又は消滅される。
【図面の簡単な説明】
【００４４】
【図１】本発明の第１実施形態に係る冷蔵庫の機械室を示した断面図である。
【図２】図１のIV-IV線の断面図である。
【図３】本発明の第１実施形態に係る冷蔵庫のウォータートレイの断面図である。
【図４】本発明の第１実施形態に係る冷蔵庫の吸入配管の斜視図である。
【図５】本発明の第１実施形態に係る冷蔵庫の吐出配管の斜視図である。
【図６】本発明の第２実施形態に係る冷蔵庫の機械室を示した断面図である。
【図７】図６のIX-IX線の断面図である。
【図８】本発明の第２実施形態に係る冷蔵庫の吸入配管の斜視図である。
【図９】本発明の第２実施形態に係る冷蔵庫の吐出配管の斜視図である。
【図１０】本発明の第２実施形態に係る吐出配管がウォータートレイに配置された状態を示した断面図である。
【図１１】従来の冷蔵庫の機械室を示した斜視図である。
【図１２】従来の冷蔵庫の機械室を示した断面図である。
【符号の説明】
【００４５】
１０    冷蔵庫本体
１２    フッド
１６    機械室
１８    コントロールボックス
２０    ウォータートレイ
２２    ベースプレイト
２４    圧縮機
２６    内部パイプ
２８    アウレットパイプ
３６    吸入配管
３８    吐出配管
４０    凸部
３６a    第１配管部
３６b    第２配管部
３６c    第３配管部
３８a    第１配管部
３８b    第２配管部
３８c    第３配管部
【図１】
2005331225.tif 000003
【図２】
2005331225.tif 000004
【図３】
2005331225.tif 000005
【図４】
2005331225.tif 000006
【図５】
2005331225.tif 000007
【図６】
2005331225.tif 000008
【図７】
2005331225.tif 000009
【図８】
2005331225.tif 000010
【図９】
2005331225.tif 000011
【図１０】
2005331225.tif 000012
【図１１】
2005331225.tif 000013
【図１２】
2005331225.tif 000014